(57)【要約】      （修正有）【課題】巻取手段を用いなくても嵩張ることなく、手提げでも肩掛けでも簡単に使用できると共に、必要に応じて雑誌やペットボトルなどでも手軽に出し入れすることができる他、バック本体の正面、背面で留めた場合で異なる形状・大きさの収納ポケットを作り出すことができる低廉で有用なトートバックを提供する。【解決手段】所定大きさのバック本体１と、バック本体１に装着された持ち手２及び補助カバー３とを備える。持ち手２は、合成紙、布、化学繊維、革等の適宜素材から成形された手提げ紐２ａと肩掛け紐２ｂとを兼用してなる環状ベルトからなり、環状ベルトの一部(上位)をバック本体１の開口縁１ａから突出すべく縫製するだけで、上位を手提げ紐２ａとして、その残余部分を肩掛け紐２ｂとして兼用することができる。【選択図】図４
0003133031.tif 000002
【実用新案登録請求の範囲】
【請求項１】
手提げと肩掛けとを兼用してなる持ち手及び／又はバック本体に着脱自在に被装される補助カバーを備えたことを特徴とするトートバック。
【請求項２】
所定大きさのバック本体と、該バック本体に装着された持ち手及び／又は補助カバーとを備えてなるトートバックにおいて、前記持ち手は、手提げと肩掛けとを兼用してなる環状ベルトであることを特徴とする請求項１に記載のトートバック。
【請求項３】
前記持ち手は、環状に形成された帯材の一部をバック本体の開口縁から突出せしめて手提げ紐となし、その残余部分を肩掛け用紐として兼用したことを特徴とする請求項１又は２に記載のトートバック。
【請求項４】
前記補助カバーは、バック本体の表裏両面を被装せしめるカバー本体と、該カバー本体を前記バック本体に着脱自在に保持するための止着部材とを備えたカバーポケットからなり、表裏両面若しくは上下位置で互いに異なる図柄、模様、プリント等の表面処理が施されていることを特徴とする請求項１又は２に記載のトートバック。
【請求項５】
前記止着部材は、ボタン、ホック、ファスナー若しくはマグネットからなり、バック本体の正面と背面とで同止着部材の取付位置を違えたことを特徴とする請求項４に記載のトートバック。
【考案の詳細な説明】
【技術分野】
【０００１】
本考案は、携帯に便利なトートバックの改良に関し、更に詳しくは、手提げでも肩掛けでも簡単に使用できると共に、雑誌やペットボトルなどを手軽に出し入れすることができる他、バック本体の正面、背面で留めた場合で異なる形状・大きさの収納ポケットを作り出すことができる補助カバーを備えた有用なトートバックに関する。
【背景技術】
【０００２】
従来、斯かるトートバックとしては、例えば、手提げ用の持ち手の他に適宜ショルダーストラップを使用して肩掛け可能な手提げバックにおいて、ショルダーストラップは、一端がバック本体に付設した巻取手段により巻取方向へ常時付勢され、残る他端が該バック本体に着脱自在な係着手段を有し、多数のストラップ孔を巻取手段からの引出方向に連設してなり、巻取手段近傍かつ該巻取手段からの引出方向に前記ストラップ孔と係合する保持突起をバック本体に設けている（例えば、特許文献１参照）。
【特許文献１】特開２００１−２９２８１９号公報
【考案の開示】
【考案が解決しようとする課題】
【０００３】
しかしながら、上述した従来のトートバックにあっては、ショルダーストラップに巻取手段を用いているため、手提げ、肩掛けの両方が使用できるといった利点を有するものの、コストが高くなってしまうといった問題がある。
【０００４】
また、バック本体内が一杯になって物が入らなくなった場合や、雑誌やペットボトルなどをバック本体の外に携帯させたい時など、必要に応じて収納ポケットを簡単に付加することができるトートバックが要望されている。
【０００５】
本考案はこのような従来の問題点及び要望に鑑みてなされたもので、巻取手段を用いなくても嵩張ることなく手提げでも肩掛けでも簡単に使用できると共に、必要に応じて雑誌やペットボトルなどでも手軽に出し入れすることができる他、バック本体の正面、背面で留めた場合で異なる形状・大きさの収納ポケットを作り出すことができる低廉で有用なトートバックを提供することを目的としたものである。
【課題を解決するための手段】
【０００６】
上述の如き従来の問題点を解決し、所期の目的を達成するため本考案の要旨とする構成は、手提げと肩掛けとを兼用してなる持ち手及び／又はバック本体に着脱自在に被装される補助カバーを備えたトートバックに存する。
【０００７】
また、前記持ち手は、手提げと肩掛けとを兼用してなる環状ベルトであるのが良く、延いては、環状に形成された帯材の一部をバック本体の開口縁から突出せしめて手提げ紐となし、その残余部分を肩掛け用紐として兼用するのが良い。
【０００８】
更に、前記補助カバーは、バック本体の表裏両面を被装せしめるカバー本体と、該カバー本体を前記バック本体に着脱自在に保持するための止着部材とを備えたカバーポケットからなり、表裏両面若しくは上下位置で互いに異なる図柄、模様、プリント等の表面処理が施されるのが良い。
【０００９】
前記止着部材は、ボタン、ホック、ファスナー若しくはマグネットからなり、バック本体の正面と背面とで同止着部材の取付位置を違えるのが良い。
【考案の効果】
【００１０】
本考案は上述のように構成され、手提げと肩掛けとを兼用してなる持ち手及び／又はバック本体に着脱自在に被装される補助カバーを備えたことによって、手提げと肩掛けの両用使用ができるのみならず、前記補助カバーを介して手軽に収納ポケットを付加することができる簡単で便利なトートバックを提供できる。
【００１１】
また、前記持ち手が、手提げと肩掛けとを兼用してなる環状ベルト、延いては、環状に形成された帯材の一部をバック本体の開口縁から突出せしめて手提げ紐となし、その残余部分を肩掛け用紐として兼用することによって、従来の如く巻取手段を用いなくても嵩張ることがないため、低コストで使い勝手の良いトートバックを提供できるといった効果を奏する。
【００１２】
更に、前記補助カバーは、バック本体の表裏両面を被装せしめるカバー本体と、該カバー本体をバック本体に着脱自在に保持する止着部材とを備えたカバーポケットであることによって、バック本体の正面及び背面に補助的なポケットを簡単に付設することができるため、必要に応じて雑誌やペットボトル等の小物を出し入れすることができるといった効果を奏する。
【００１３】
また、補助カバーは、表裏両面若しくは上下位置で互いに異なる図柄、模様、プリント等の表面処理が施されることによって、バック本体の正面、背面で留めた場合で異なるデザインを楽しむことができるといった効果を奏する。
【００１４】
更に、前記止着部材が、ボタン、ホック、ファスナー若しくはマグネットであることによって、補助カバーの着脱が頗る簡単に行えるだけではなく、バック本体の正面、背面とで止着部材の取付位置(配置)を違えたことによって、バック本体に異なる形状・大きさの収納ポケットを作り出すことができるといった効果を奏する。
【００１５】
更に、本考案のトートバックは、構成が単純であるため、大量生産に適し価格も低廉なものとして需用者に供給できるなど、本考案を実施することはその実益的価値が甚だ大である。
【考案を実施するための最良の形態】
【００１６】
手提げと肩掛けとを兼用してなる持ち手と、バック本体に着脱自在に被装される補助カバーとを備える。前記持ち手は、手提げと肩掛けとを兼用してなる環状ベルトであるのが良く、延いては、環状に形成された帯材の一部をバック本体の開口縁から突出せしめて手提げ紐となし、その残余部分を肩掛け用紐として兼用するのが良い。また、前記補助カバーは、バック本体の表裏両面を被装せしめるカバー本体と、該カバー本体をバック本体に着脱自在に保持する止着部材とを備えると共に、バック本体の正面、背面とで同止着部材の取付位置を違えたカバーポケットであるのが良い。
【実施例】
【００１７】
次に本考案の実施の一例を図面を参照しながら説明する。図中Ａは、本考案に係るトートバックであり、このトートバックＡは、図１に示すように、所定大きさのバック本体１と、該バック本体１に装着された持ち手２及び補助カバー３とを備えている。
【００１８】
バック本体１は、例えば、手提げ鞄、手提げ籠、ハンドバック、ボストンバック、トランク、リュックサック、ギャジットバッグ、買い物籠、小物入れ、財布等の携帯用袋物をトートバックとして総称するものであり、本実施例に限定されるものではない。
【００１９】
前記持ち手２は、例えば、合成紙、布、化学繊維、革等の適宜素材から成形された手提げ紐２ａと肩掛け紐２ｂとを兼用してなる環状ベルトからなり、図３に示すように、環状ベルトの一部(上位)をバック本体１の開口縁１ａから突出すべく縫製するだけで、上位を手提げ紐２ａとして、その残余部分を肩掛け紐２ｂとして兼用することができる。
【００２０】
従って、肩掛け紐２ｂを使用しない場合は、バック本体１内に納めて置くことができるため、邪魔になることがなく、必要時にあって初めて同肩掛け紐２ｂをバック本体１内から返し上げるだけで、図４に示すように、上位に延出することができ、肩に掛けるのに十分な長さを有している。
【００２１】
更に、前記補助カバー３は、例えば、布、合成紙、合成樹脂、不織布等の適宜シート材からなり、バック本体１の底部１ｄに跨架した状態で、バック本体１の正面１ｂと背面１ｃとを被装できる大きさに形成されている。
【００２２】
また、この補助カバー３には、図５に示すように、バック本体１に装着させた後述する止着部材４を留めるためのスリット３ａ，３ａ…が形成されており、バック本体１の正面１ｂ(図１参照)と背面１ｃ(図２参照)に留めた場合では、互いに異なる形状・大きさの収納ポケットを作り出せるように上下でスリット３ａ，３ａ…の配置を違えている。
【００２３】
更に、バック本体１には、補助カバー３を着脱自在に保持するための止着部材４を備えている。この止着部材４は、例えば、ボタン、ホック、ファスナー（平面ファスナーを含む）、マグネット等からなり、バック本体１と補助カバー３とを着脱自在に止着するものである。
【００２４】
また、止着部材４は、図６に示すように、バック本体１の正面１ｂ、背面１ｃとで同止着部材４の取付位置(配置)を違えている。
【００２５】
このように構成される本考案のトートバックＡは、補助カバー３をバック本体１の正面１ｂに留めた場合（図(６)ａ参照）は、雑誌等を入れることができ、背面１ｃで留めた場合（図(６)ｂ参照）は、５００ｍｌのペットボトルや、水筒、タンブラーなどを入れることができるなど、バック本体１の正面１ｂ、背面１ｃで留めた場合で異なる形状の収納ポケットを作り出すことができる。
【００２６】
また、補助カバー３の両面や上下位置に互いに異なる図柄、プリント、デザイン等の表面処理(図示せず)を施しておけば、バック本体１の正面１ｂ、背面１ｃに留めた場合で異なるデザインを楽しむことができるなど、バックとしての趣向性及び商品価値を高めることができる。
【００２７】
尚、本考案のトートバックは、本実施例に限定されることなく、本考案の目的の範囲内で自由に設計変更し得るものであり、本考案はそれらの全てを包摂するものである。例えば、バック本体１、持ち手２（手提げ紐２ａ、肩掛け紐２ｂ）及び補助カバー３の形状、大きさ、止着部材４の種類、取付手段等は本実施例に限定されることなく、使用する携帯用袋物（手提げ鞄、手提げ籠、ハンドバック、ボストンバック、トランク、リュックサック、ギャジットバッグ、買い物籠、小物入れ、財布等）に応じて異なることは云うまでもない。
【図面の簡単な説明】
【００２８】
【図１】本考案に係るトートバックの正面図である。
【図２】同トートバックの背面図である。
【図３】同トートバックの持ち手を示す説明図である。
【図４】同トートバックのバック本体に補助カバーを跨架させた状態を示す説明図である。
【図５】本実施例で使用する補助カバーの正面図である。
【図６】図６(ａ)はバック本体の正面に補助カバーを取り付けた状態を示す説明図、図６(ｂ)はバック本体の背面に補助カバーを取り付ける前の状態を示す説明図である。
【符号の説明】
【００２９】
１  バック本体
１ａ  開口縁
１ｂ  正面
１ｃ  背面
１ｄ  底部
２  持ち手
２ａ  手提げ紐
２ｂ  肩掛け紐
３  補助カバー
３ａ  スリット
４  止着部材
【図１】
0003133031.tif 000003
【図２】
0003133031.tif 000004
【図３】
0003133031.tif 000005
【図４】
0003133031.tif 000006
【図５】
0003133031.tif 000007
【図６】
0003133031.tif 000008